(57)【要約】【課題】あらゆる角度の力に対しても感知することができ、かつライン電極やコモン電極に断線するトラブルが発生してもスイッチ機能を有するスイッチ構造体を提供することを目的とする。【解決手段】絶縁性のフィルム７上に複数のライン電極４ａを平行して配置し、複数のコモン電極４ｂを前記ライン電極４ａに交差するように配置した上下一対の電極３，６とを、絶縁材７を介して積層し、上記の上電極６と下電極３の少なくとも一方に緩衝材８を積層したスイッチ構造体１である。【選択図】図２
0003124678.tif 000002
【実用新案登録請求の範囲】
【請求項１】
絶縁性のフィルム上に複数のライン電極を平行して配置し、かつ複数のコモン電極を該ライン電極に交差するように配置した上下一対の電極を、絶縁材を介して積層し、該上電極と下電極の少なくとも一方に緩衝材を積層したことを特徴とするスイッチ構造体。
【請求項２】
ライン電極の方向に沿った切り目が間隔をおいて設けられている請求項１記載のスイッチ構造体。
【考案の詳細な説明】
【技術分野】
【０００１】
本考案はスイッチ構造体に係り、詳しくあらゆる角度の力に対しても感知することができ、かつライン電極やコモン電極が断線するトラブル発生を阻止したスイッチ構造体に関する。
【背景技術】
【０００２】
従来のスイッチは、特許文献１に示されるように、ポリエステルなどのフィルムに導電材を印刷しリード線を引き出した上下電極を微小間隔で対向させ、これを上下方向より押圧することによって前記フィルム上の導電材を接触させてスイッチを作動させるものがある。また、上記導電材を印刷したポリエステルフィルム間に所定厚さの絶縁スペーサを介在させたスイッチも提案されている。更に、可撓性を有する一対の樹脂フィルム間に上下電極板を重ねて介在し、上記電極板間に絶縁スペーサを配置して上下電極板間に空間部を設けたシート状スイッチも知られている。
【０００３】
また、特許文献２には、複数のライン電極を平行して配置し、かつ１本のコモン電極を該ライン電極に交差するように配置した上下一対の電極を、絶縁材を介して積層したスイッチも提案されている。
【特許文献１】特開昭６０−１５０５１７号公報
【特許文献２】特開２００５−２３５７２３号公報
【考案の開示】
【考案が解決しようとする課題】
【０００４】
しかし、樹脂のフィルムに導電材を印刷したものは、ポリエステルなどのフィルムを撓ましてスイッチのＯＮ、ＯＦＦを行うので、その回数を重ねることによってどうしてもフィルムが疲労し、更には過荷重によって破損してしまうという問題があった。また、このスイッチは、動作荷重をはるかに越える重荷重が加わったとき、ポリエステルフィルムが塑性変形して電極同士が密接して復元性がなくなり、また導電性塗料が圧縮力によって破損する問題もあった。
【０００５】
更に、従来の電極では、上下一対の電極が互いに交叉するライン電極が荷重を受けると接触して通電するが、広い面積を感知させる場合には上下一対の電極間に絶縁材を介在させているため、スイッチが受ける力の方向によっては直接絶縁材上に力が働く場合もあり、このときにはスイッチが作動しなくなる問題があった。
【０００６】
また、従来の１本のコモン電極を用いたスイッチでは、該コモン電極が切断し、また複数のライン電極が切断すると、広い面積にわたってスイッチ機能が喪失する危険性があった。
【０００７】
本考案はこのような問題を改善するものであり、あらゆる角度の力に対しても感知することができ、かつライン電極やコモン電極に断線するトラブルが発生してもスイッチ機能を有するスイッチ構造体を提供することを目的とする。
【課題を解決するための手段】
【０００８】
本願請求項１記載の考案では、絶縁性のフィルム上に複数のライン電極を平行して配置し、かつ複数のコモン電極を該ライン電極に交差するように配置した上下一対の電極を、絶縁材を介して積層し、該上電極と下電極の少なくとも一方に緩衝材を積層したスイッチ構造体にある。
【０００９】
本願請求項２記載の考案では、ライン電極の方向に沿った切り目が間隔をおいて設けられているスイッチ構造体にある。
【考案の効果】
【００１０】
このように本考案のスイッチ構造体では、複数のコモン電極を該ライン電極に交差するように配置した電極を使用するために、ライン電極やコモン電極に断線する箇所が発生してもスイッチ機能を遮断することなく継続して使用することができ、更には複数のライン電極と複数のコモン電極とを交差させているために、電極のコードの引出部から最遠距離点間の電気抵抗値が小さくスイッチON判定の閾値を低く設定することができる。また、緩衝材を積層していることから、あらゆる角度の力に対しても感知することができる。更には、ライン電極の方向に沿った切り目を設けたことにより、曲面を有する基体にも変形することなく貼り合わせることができる。
【考案を実施するための最良の形態】
【００１１】
図１は本考案に係るスイッチ構造体の要部断面図、図２は下電極の平面図、そして図３は上電極の平面図である。
本考案のスイッチ構造体１は金属板、樹脂板、セラッミクス板のような剛直な基体２に下電極３と上電極６とを絶縁材７を介して積層し、該上電極６に緩衝材８を積層した構造からなっている。
【００１２】
下電極３は図２に示すように、ポリエチレンテレフタレートのようなフィルム５ａ上に銀またはカーボンペースト等でできた導電材を横方向に平行印刷した複数のライン電極４ａとこれを交差するように印刷したコモン電極４ｂとが格子状に構成されている。そして、コモン電極４ｂ（ａ〜ｑ）は、絶縁テープのような絶縁材７によって被覆され、またライン電極４ａ（Ａ〜Ｇ）のうちのＢ、Ｄ、Ｇが絶縁材７によって被覆されている。上記絶縁材７の配置は、感知できる押圧力の大きさによって任意に変えることができる。
【００１３】
一方、上電極６は図３に示すように、ポリエチレンテレフタレートのようなフィルム５上に銀またはカーボンペースト等でできた導電材を横方向に平行印刷した複数のライン電極４ａとこれを交差するように印刷したコモン電極４ｂとが格子状に構成されているが、絶縁材７は被覆されていない。
【００１４】
また、積層された下電極３と上電極６とは、ライン電極４ａ（Ａ〜Ｇ）のＡとＢ、ＣとＤ、そしてＦとＧとの間にライン電極４ａと平行した切れ目１０を設けることができる。この切れ目１０はコモン電極４ｂのaからｄを切断している。これによって、基体２が曲面になった場合でも、スイッチ構造体１を容易に装着することができる。
【００１５】
前記緩衝材８は、塩化ビニル、ポリスチレン、ポリエチレン等の熱可塑性樹脂、ウレタン等からなる発泡体が使用されるが、特に材質については何ら限定されない。発泡倍率は１０〜２５倍が適当である。この緩衝材８の表面には、塩化ビニル、ポリエチレン等の樹脂フィルムやシリコンゴム、エチレン−プロピレンゴム、クロロプレンゴム等のゴムシートをカバー材９として被覆している。このカバー材９と緩衝材７とは一体に成形したものでもよい。
【００１６】
スイッチ構造体１が緩衝材８で力を受けると、緩衝材８が変形して多方向に力が分散するために、スイッチが感知し、どのような方向の力が作用しても検出可能なスイッチになる。
【図面の簡単な説明】
【００１７】
【図１】本考案に係るスイッチ構造体の要部断面図である。
【図２】下電極の平面図である。
【図３】上電極の平面図である。
【符号の説明】
【００１８】
１    スイッチ構造体
２    基体
３    下電極
４ａ  ライン電極
４ｂ  コモン電極
５    フィルム
６    上電極
７    絶縁材
８    緩衝材
１０  切れ目
【図１】
0003124678.tif 000003
【図２】
0003124678.tif 000004
【図３】
0003124678.tif 000005